(57)【要約】【課題】入出力コンピュータ端末から認証サーバに対してコード認証や生体認証等の複数の認証方法と認証機能を用いて接続操作する端末の利用者本人確認用の認証操作において端末の利用者が本人認証操作を柔軟性をもって利用できるようにした複合認証システム及びその複合認証装置を提供する。【解決手段】２種以上複数種の各々認証用データを取得する段階、取得された前記２種以上複数種の各々認証用データに対し重み係数を割り付けて重み付けする段階、各々認証用データと登録認証用データとを照合して照合度を求める段階、各々重み係数と照合度とを乗算して重み付け値を算出する段階、重み付け値を加算して総合照合度を算出する段階、総合照合度と予め規定された基準値とを比較し、認証、非認証を判定する段階を経る。【選択図】図１
2009230653.tif 000002
【特許請求の範囲】
【請求項１】
認証サーバと、該認証サーバに送信する認証用データを取得する認証用データ取得手段を備える各々入出力用コンピュータ端末とを備え、前記認証サーバによる取得された認証用データと登録済認証用データとの照合により、各々入出力用コンピュータ端末の利用者の本人確認を行う複合認証システムにおいて、
ａ）認証サーバに接続された入出力用コンピュータ端末の複数種認証用データ取得手段を用いて、２種以上複数種の各々認証用データを取得する段階と、
ｂ）前記入出力用コンピュータ端末の複数種認証用データ取得手段を用いて取得された前記２種以上複数種の各々認証用データに対し、認証重み係数割当手段にて各々重み係数を割り当てて認証重み付けをする段階と、
ｃ）前記複数種認証用データ取得手段を用いて取得された前記２種以上複数種の各々認証用データと、前記認証サーバに登録されている登録認証用データとを認証データ照合度取得手段にて比較照合し、その照合結果から各々認証用データの完全一致（数値１）から不一致（数値０）までの照合度を求める段階と、
ｄ）前記認証重み係数割当手段にて２種以上複数種の各々認証用データに割り当てた各々重み係数と前記認証データ照合度取得手段にて取得した照合度とを重み付け値算出手段にて乗算して、各々認証用データ毎の重み付け値を算出する段階と、
ｅ）前記重み付け値算出手段にて算出された各々認証用データ毎の重み付け値を総合照合度算出手段にて加算して、全ての認証用データの総合照合度を算出する段階と、
ｆ）前記総合照合度算出手段にて算出された総合照合度と予め規定された基準値とを総合照合度比較判定手段にて比較判定し、前記総合照合度が、基準値以上の場合は認証と判定し、未満の場合は非認証と判定する段階とを、
経るようにしたことを特徴とする複合認証システム。
【請求項２】
認証サーバと、該認証サーバに送信するための認証用データを取得する認証用データ取得手段を備える各々入出力用コンピュータ端末とを備え、該認証サーバによる取得された認証用データと登録済認証用データとの照合により、各々入出力用コンピュータ端末の本人確認を行う複合認証システムに用いる複合認証装置において、
ａ）認証サーバと、
ｂ）前記認証サーバに、２種以上複数種の各々認証用データ（ＩＤコード、パスワード等の符号データ、指紋、顔相、瞳等の生体認証データ）を送信する入出力用コンピュータ端末と、
ｃ）前記入出力用コンピュータ端末に備えた２種以上複数種の各々認証用データを取得するための認証用データ取得部からなる複数種認証用データ取得手段と、
ｄ）前記複数種認証用データ取得手段を用いて取得された前記２種以上複数種の各々認証用データに対し、予め認証重み付けをするための重み係数の割り当てを行う認証重み係数割当手段と、
ｅ）前記複数種認証用データ取得手段を用いて取得された前記２種以上複数種の各々認証用データと、前記認証サーバに登録されている登録認証用データとを比較照合し、その照合結果から各々認証用データの完全一致（数値１）から不一致（数値０）までの照合度を求める認証データ照合度取得手段と、
ｆ）前記認証重み値割当手段にて２種以上複数種の各々認証用データに割り当てた各々重み係数と前記認証データ照合度取得手段にて取得した照合度とを乗算して、各々認証用データ毎の重み付け値を算出する重み付け値算出手段と、
ｇ）前記重み付け値算出手段にて算出された各々認証用データ毎の重み付け値を加算して全ての認証用データの総合照合度を算出する総合照合度算出手段と、
ｈ）前記総合照合度算出手段にて算出された総合照合度と予め規定された基準値とを比較判定し、前記総合照合度が、基準値以上の場合は認証と判定し、未満の場合は非認証と判定する総合照合度比較判定手段と、
を備えることを特徴とする複合認証装置。
【発明の詳細な説明】
【技術分野】
【０００１】
本発明は、パソコン等のコンピュータ端末等の入出力用コンピュータ端末から認証サーバに対し、ネットワークを介して認証接続用のＩＤ、パスワード等のコード認証や生体認証等の各認証方法のうち、いずれか２種以上の複数種の認証方法とソフトウエアの認証機能とを用いて、そのコンピュータ端末利用者の本人の確認、認証を行うための複合認証システム及びその複合認証装置に関する。
【背景技術】
【０００２】
一般に、パソコン等のコンピュータ端末から、その端末の利用者（ユーザ）の本人確認（ウエブサイトへの登録確認）をするために、認証用のＩＤコード、パスワード等のコードデータによる認証データ、あるいは指紋、静脈、瞳、顔等の生体を電子データとして生体読取用機器を用いて読み取り取得される生体データによる生体認証データのうちいずれか一つの単一認証データ、あるいはそれらの認証データの複合による複合認証データを認証サーバに送信する。
【０００３】
そして、認証サーバ側では、受信した単一認証データ又は複合認証データと、認証サーバ側に既に登録済みの端末登録認証データ（ユーザ登録認証データ）とを比較照合して、両者の一致、不一致を判定し、その判定結果を取得し、一致していれば認証が成功したとして、認証サーバ側は、その端末の利用者（ユーザ）の本人確認を行う。
【０００４】
現在、運用されているＩＤ認証、パスワード認証、生体認証等の各単一の認証方法（認証データ）を組み合わせた複合（複数種）認証方法を用いた複合認証システムでは、その複合認証方法を構成する各々単一認証データの一致、不一致を判定して、各々単一認証データについて認証成功か認証失敗かの２つの結果を取得し、複合認証方法を構成する全ての単一認証データが一致していれば認証成功と判定され、一方、構成する全ての単一認証データのうちいずれか１つでも認証に失敗すれば、認証失敗として判定されるようになっている。又は、いずれか１つでも認証に成功すれば、成功したとして判定される。
【０００５】
そのため、本人確認用の認証方法の利用者が使用する際の使用方法における柔軟性、例えば経年変化に対する柔軟性を持たせることがてきず、例えば、本人確認用の生体認証における指紋確認では、利用者本人の指に傷が付いた場合や、顔確認では、利用者本人の眼鏡や髪型が変わった場合等に、本人と判断されない場合があった。
【０００６】
以下に、本願に関連する先行技術文献を記載する。
【特許文献１】特開２０００−５７３４１号公報
【特許文献２】特開２００１−２５６４９６号公報
【特許文献３】特開２００７−１５６７９０号公報
【特許文献４】特開２００７−３３４７０７号公報
【発明の開示】
【発明が解決しようとする課題】
【０００７】
本発明の課題は、複合認証システム及びその複合認証装置において、パソコン等の入出力用コンピュータ端末から、認証接続用のＩＤ、パスワード等のコード認証や生体認証等
の複数の認証方法とソフトウエアの認証機能を用いて接続操作する際におけるコンピュータ端末利用者本人確認用の認証操作において、端末の利用者の認証操作を柔軟性をもって利用できるようにした複合認証システム及びその複合認証装置を提供することにある。
【課題を解決するための手段】
【０００８】
本発明の請求項１に係る発明は、
認証サーバと、該認証サーバに送信する認証用データを取得する認証用データ取得手段を備える各々入出力用コンピュータ端末とを備え、前記認証サーバによる取得された認証用データと登録済認証用データとの照合により、各々入出力用コンピュータ端末の利用者の本人確認を行う複合認証システムにおいて、
ａ）認証サーバに接続された入出力用コンピュータ端末の複数種認証用データ取得手段を用いて、２種以上複数種の各々認証用データを取得する段階と、
ｂ）前記入出力用コンピュータ端末の複数種認証用データ取得手段を用いて取得された前記２種以上複数種の各々認証用データに対し、認証重み係数割当手段にて各々重み係数を割り当てて認証重み付けをする段階と、
ｃ）前記複数種認証用データ取得手段を用いて取得された前記２種以上複数種の各々認証用データと、前記認証サーバに登録されている登録認証用データとを認証データ照合度取得手段にて比較照合し、その照合結果から各々認証用データの完全一致（数値１）から不一致（数値０）までの照合度を求める段階と、
ｄ）前記認証重み係数割当手段にて２種以上複数種の各々認証用データに割り当てた各々重み係数と前記認証データ照合度取得手段にて取得した照合度とを重み付け値算出手段にて乗算して、各々認証用データ毎の重み付け値を算出する段階と、
ｅ）前記重み付け値算出手段にて算出された各々認証用データ毎の重み付け値を総合照合度算出手段にて加算して、全ての認証用データの総合照合度を算出する段階と、
ｆ）前記総合照合度算出手段にて算出された総合照合度と予め規定された基準値とを総合照合度比較判定手段にて比較判定し、前記総合照合度が、基準値以上の場合は認証と判定し、未満の場合は非認証と判定する段階とを、
経るようにしたことを特徴とする複合認証システムである。
【０００９】
本発明の請求項２に係る発明は、
認証サーバと、該認証サーバに送信するための認証用データを取得する認証用データ取得手段を備える各々入出力用コンピュータ端末とを備え、該認証サーバによる取得された認証用データと登録済認証用データとの照合により、各々入出力用コンピュータ端末の本人確認を行う複合認証システムに用いる複合認証装置において、
ａ）認証サーバと、
ｂ）前記認証サーバに、２種以上複数種の各々認証用データ（ＩＤコード、パスワード等の符号データ、指紋、顔相、瞳等の生体認証データ）を送信する入出力用コンピュータ端末と、
ｃ）前記入出力用コンピュータ端末に備えた２種以上複数種の各々認証用データを取得するための認証用データ取得部からなる複数種認証用データ取得手段と、
ｄ）前記複数種認証用データ取得手段を用いて取得された前記２種以上複数種の各々認証用データに対し、予め認証重み付けをするための重み係数の割り当てを行う認証重み係数割当手段と、
ｅ）前記複数種認証用データ取得手段を用いて取得された前記２種以上複数種の各々認証用データと、前記認証サーバに登録されている登録認証用データとを比較照合し、その照合結果から各々認証用データの完全一致（数値１）から不一致（数値０）までの照合度を求める認証データ照合度取得手段と、
ｆ）前記認証重み値割当手段にて２種以上複数種の各々認証用データに割り当てた各々重み係数と前記認証データ照合度取得手段にて取得した照合度とを乗算して、各々認証用データ毎の重み付け値を算出する重み付け値算出手段と、
ｇ）前記重み付け値算出手段にて算出された各々認証用データ毎の重み付け値を加算して全ての認証用データの総合照合度を算出する総合照合度算出手段と、
ｈ）前記総合照合度算出手段にて算出された総合照合度と予め規定された基準値とを比較判定し、前記総合照合度が、基準値以上の場合は認証と判定し、未満の場合は非認証と判定する総合照合度比較判定手段と、
を備えることを特徴とする複合認証装置である。
【発明の効果】
【００１０】
本発明の複合認証システム及び複合認証装置は、１又は複数の入出力用コンピュータ端末と、該入出力用コンピュータ端末を接続した認証サーバ（認証機能を備えたサーバ、ホストコンピュータ）、あるいは該入出力用コンピュータ端末を回線接続したインターネット等ネットワーク上の認証サーバとを備え、各々入出力用コンピュータ端末には、それを利用するユーザが、当該認証サーバに送信するための２種以上の複数種の認証用データ（複合認証用データ）を取得するための２種以上の複数種の認証用データ取得手段を搭載している。
【００１１】
そして、取得された２種以上の認証用データと登録済認証用データとの認証サーバによる照合により、コンピュータ端末利用者の本人確認を行う複合認証システム及び装置である。
【００１２】
本発明の複合認証システム及び複合認証装置によれば、入出力用コンピュータ端末から認証サーバに送信されたＩＤ、パスワード等の認証接続用の符号認証データと、生体認証データ等の複数の認証データに対して、それぞれ照合判定に重み係数を付与して重み付けを実施するので、認証サーバ（認証機能を備えたサーバ）を用いて接続操作する入出力用コンピュータ端末のユーザ（利用者）本人確認用の認証操作において、端末の利用者が、本人認証操作を柔軟性をもって利用することができる効果がある。
【発明を実施するための最良の形態】
【００１３】
本発明の複合認証システムについて、その実施の形態を詳細に説明すれば、図１は、本発明の一実施の形態において使用されるシステムの全体構成図（ブロック図）であり、図２は、本発明の他の実施の形態において使用されるシステムの全体構成図である。
【００１４】
本発明の複合認証システムには、図１に示すような装置が使用される。認証サーバ１（認証機能を備えるサーバ、ホストコンピュータ）と、該認証サーバ１のデータベース２と、該認証サーバ１に接続された１乃至複数の各々入出力用コンピュータ端末３とを備え、該各々入出力用コンピュータ端末３には、該認証サーバ１と認証用データを取得する認証用データ取得手段４が搭載されている。
【００１５】
また本発明の複合認証システムには、図２に示すような装置を使用することができる。各々認証サーバ１は、入出力用コンピュータ端末３により取得された認証用データを受信し、該認証サーバ１（データベース）に登録されている登録済認証用データと、受信した認証用データとの一致、不一致を比較照合し、コンピュータ端末利用者の本人確認を行うものである。
【００１６】
各々認証サーバ１と接続された各々入出力用コンピュータ端末３には、２種以上複数種の各々認証用データ（例えばＩＤコード、パスワード等の符号認証データ、指紋、顔相、瞳等の生体認証データ）を取得するための認証用データ取得部からなる複合認証用データ取得手段４（又は複数種認証データ取得手段）を搭載している。
【００１７】
このように本発明の複合認証システムにおいては、上記の図１に示すように認証サーバ
１と各々入出力用コンピュータ端末３が、直接接続されていてもよく、図２に示すように認証サーバ１と各々入出力用コンピュータ端末３が、ネットワークＮを介して接続されていてもよい。また、認証サーバ１本体が、入出力用コンピュータ端末３（又は複合認証用データ取得手段４）を備えていてもよく、あるいは、認証サーバ１のデータベース２が収納記憶している情報（重み係数、登録認証データ等）を、ユーザが所有するＩＣカード等の情報記録媒体に格納しておき、該情報記録媒体内にて、照合処理を行うようにしてもよい。
【００１８】
図３は、本発明システムにおける認証サーバ１（又はそのサーバ）の装置構造例を示すブロック図であり、認証サーバ１には、ＣＰＵ、演算処理部、メモリ等の他に、認証重み値割当手段１１、認証データ照合度取得手段１２、重み付け値算出手段１４、総合照合度比較判定手段１５を備えている。
【００１９】
図４は、入出力用コンピュータ端末３に搭載する複合認証用データ取得手段４の装置構造例を示すブロック図であり、例えば、ユーザが、手入力により、あるいは所有する認証用カード等から、ＩＤコード、パスワード等の符号データを読み取り、取得するための符号認証データ取得部４１、ユーザの指紋、静脈、顔、瞳等の生体情報から生体認証用データを取得するための指紋認証データ取得部４２、静脈認証データ取得部４３、顔認証データ取得部４４、瞳認証データ取得部４５などにより構成される。又はそれらのいずれか２種以上の認証データ取得部により構成される。
【００２０】
本発明の複合認証システムは、図４のシステム動作フローチャート図に示すように、ユーザは、符号（ＩＤ）情報を、手入力により又はカードにより入出力用コンピュータ端末３（符号認証データ取得部４１）にて入力して、認証用データとして符号データを取得すると共に、例えば符号データとしてＩＤやパスワード、及び指紋情報（生体情報）を、その入出力用コンピュータ端末３（例えば指紋認証データ取得部４２）にて入力して、パスワード及び指紋（生体）認証データを取得する。この場合、認証に使用されるデータは、符号としてのＩＤやパスワードと指紋との２種類であるが、本発明においてはその認証データ（認証方法）の種類を限定するものではなく、また２種に限定されるものではなく、２種類以上であってもよい。
【００２１】
前記入出力用コンピュータ端末３は、図４に示すように取得した符号（ＩＤ）認証データと、生体認証データとを認証サーバ１に送信し、認証サーバ１は、その符号（ＩＤ）認証データと、生体認証データとを受信して、認証のための照合に使用する。一方、認証サーバ１は、２種（２種以上）の認証データを受信すると、符号（ＩＤ）認証データに基づいて、搭載するデータベース２に予め記録登録されている登録済みのユーザ登録認証データを読み出す。
【００２２】
また認証サーバ１は、認証動作において２種以上の認証データに対して、予め規定された重み係数の割り付けを実施できるようになっている。登録済みのユーザ登録認証データを読み出すと、受信した２種（２種以上）の各々認証データに対して、それぞれ異なる割合による重み係数Ｗ（Ｗ1 、Ｗ2 、Ｗ3 、・・・）を割り付ける。例えば、符号認証データであるパスワード認証データＤ1 、生体認証データ（指紋認証データＤ2 、静脈認証データＤ3 、顔認証データＤ4 、瞳認証データＤ5 ）としたとき、パスワード認証データＤ1 には重み値Ｗ1 ＝１００、指紋認証データＤ2 には重み値Ｗ2 ＝２００、静脈認証データＤ3 には重み値Ｗ3 ＝３００、顔認証データＤ4 には重み値Ｗ4 ＝４００、瞳認証データＤ5 には重み値Ｗ5 ＝５００を割り付ける。
【００２３】
そして、認証サーバ１は、端末３から受信した認証データＤ（パスワード認証データＤ1 、指紋認証データＤ2 、静脈認証データＤ3 、顔認証データＤ4 、瞳認証データＤ5 ）
と、読み出されたそれぞれ登録済みの異なる種類のユーザ登録認証データＤO （ＤO1、ＤO2、ＤO3、ＤO4、ＤO5）を、同種の認証データ同士にて比較照合して、その照合結果における完全一致から不一致までを照合度Ｆ（パスワード認証データ照合度Ｆ1 、指紋認証データ照合度Ｆ2 、静脈認証データ照合度Ｆ3 、顔認証データ照合度Ｆ4 、瞳認証データ照合度Ｆ5 ）として、照合判定結果を数値として出力する。例えば完全一致を照合度Ｆ＝１、略一致を照合度Ｆ＝０．５、不一致を照合度Ｆ＝０とする。これは、それぞれパスワード認証データＤ1 、生体認証データ（指紋認証データＤ2 、静脈認証データＤ3 、顔認証データＤ4 、瞳認証データＤ5 ）について実施される。
【００２４】
続いて、認証サーバ１は、パスワード認証データＤ1 に割り付けた重み係数Ｗ（Ｗ1 、Ｗ2 、Ｗ3 、Ｗ4 、Ｗ5 ）と、認証データＤ（Ｄ1 、Ｄ2 、Ｄ3 、Ｄ4 、Ｄ5 ）の照合判定結果の照合度Ｆ（Ｆ1 、Ｆ2 、Ｆ3 、Ｆ4 、Ｆ5 ）とを乗算して、２種以上の各々認証データに対して、それぞれ重み付け値Ｊ＝Ｗ×Ｆ、［Ｊ（Ｊ1 、Ｊ2 、Ｊ3 、・・・）＝Ｗ（Ｗ1 、Ｗ2 、Ｗ3 、・・・) ×Ｆ（Ｆ1 、Ｆ2 、Ｆ3 、・・・) ］を算出する。
【００２５】
例えば、上記のように入出力コンピュータ端末３にて取得したパスワード認証データとしてのパスワード認証データＤ1 （重み係数Ｗ1 ＝１００、照合度Ｆ1 ＝１．０）の重み付け値は、Ｊ1 ＝Ｗ1 ×Ｆ1 ＝１００となる。また指紋認証データＤ2 （重み係数Ｗ2 ＝２００、照合度Ｆ2 ＝０．８）の重み付け値は、Ｊ2 ＝Ｗ2 ×Ｆ2 ＝１６０となる。
【００２６】
続いて認証サーバ１は、算出した各々異なる種の認証データの重み付け値Ｊ＝Ｗ×Ｆを加算して、総合照合度Ｓ＝Ｊ1 ＋Ｊ2 ＋Ｊ3 ＋・・・Ｊn を算出する。例えば、上記のように入出力コンピュータ端末３にて取得したパスワード認証データＤ1 の重み付け値Ｊ1 ＝Ｗ1 ×Ｆ1 ＝１００と、指紋認証データＤ2 の重み付け値Ｊ2 ＝Ｗ2 ×Ｆ2 ＝１６０とを加算して、総合照合度Ｓ＝Ｊ1 ＋Ｊ2 ＝２６０を算出する。（因みに最大総合照合度ＳMax ＝３００）
認証サーバ１には、上記の総合照合度Ｓと数値の大小を比較するための基準値Ｒが設定されている。認証サーバ１は、総合照合度Ｓを算出すると、データベース２から、基準値Ｒを読み出して認証判定に移行し、総合照合度Ｓと基準値Ｒの大小を比較判定する。総合照合度Ｓが基準値Ｒ以上の場合は、認証と判定する。総合照合度Ｓが基準値Ｒ未満の場合は、非認証と判定する。例えば基準値がＲ＝２６０と設定されている場合はＳ＝Ｒと判定され、基準値がＲ＝２５０と設定されている場合はＳ＞Ｒと判定されて「認証」と判定され、基準値がＲ＝２８０と設定されている場合はＳ＜Ｒと判定されて「非認証」と判定される。その認証判定結果を入出力用コンピュータ端末３に送信する。ユーザの使用する入出力用コンピュータ端末３には、「認証」、「非認証」等のメッセージが表示される。
【００２７】
本発明の複合認証システムを、図５に示す動作フローチャートに基づいて以下に詳細に説明する。
【００２８】
＜ステップＳ１＞
ユーザは、入出力用コンピュータ端末３の複合認証用データ取得手段４を起動させ、該取得手段４を用いて、２種以上複数種の各々認証用データＤ（ユーザＩＤを含む）を取得する。
【００２９】
＜ステップＳ２＞
前記入出力用コンピュータ端末３は、複合認証用データ取得手段４を用いて取得された前記２種以上複数種の各々認証用データＤ（ユーザＩＤを含む）を認証サーバ１に送信して、認証サーバ１は、各々認証用データＤを受信して、ユーザＩＤに対して予め１対１にて対応付けられている登録認証データと、各々認証用データＤに対して予め１対１にて対応付けられている重み係数Ｗを、データベース２（又は認証サーバ１本体）から読み出し
て、前記各々認証用データＤに対し、該認証サーバ１の認証重み係数割当手段１１にて認証重み付けをする。
【００３０】
＜ステップＳ３＞
前記認証サーバ１は、前記複合認証用データ取得手段４を用いて取得された前記２種以上複数種の各々認証用データＤと、前記認証サーバ１に登録されている登録認証用データＤO とを認証データ照合度取得手段１２にて比較照合し、その照合結果から各々認証用データの完全一致から不一致までの照合度Ｆ（一致度）を求める。
【００３１】
＜ステップＳ４＞
前記認証サーバ１は、前記認証重み係数割当手段１１にて２種以上複数種の各々認証用データＤに割り当てた各々重み係数Ｗと前記認証データ照合度取得手段１２にて取得した照合度Ｆとを重み付け値算出手段１３にて乗算して、各々認証用データ毎の重み付け値Ｊを算出する。
【００３２】
＜ステップＳ５＞
前記認証サーバ１は、前記重み付け値算出手段１３にて算出された各々認証用データＤ毎の重み付け値Ｊを、総合照合度算出手段１４にて加算し、全ての認証用データの総合照合度Ｓを算出する。
【００３３】
＜ステップＳ６＞
前記認証サーバ１は、前記総合照合度算出手段１４にて算出された総合照合度Ｓと予め規定された基準値Ｒとを、総合照合度比較判定手段１５にて比較判定する。
【００３４】
＜ステップＳ７＞
前記総合照合度Ｓが、基準値Ｒ以上の場合は、ステップＳ８ａに進み、未満の場合は、ステップＳ８ｂに進む。
【００３５】
＜ステップＳ８ａ＞
前記認証サーバ１は、「認証」と判定する。
【００３６】
＜ステップＳ８ｂ＞
前記認証サーバ１は、「非認証」と判定する。
【図面の簡単な説明】
【００３７】
【図１】本発明の複合認証システムを説明する動作ブロック図。
【図２】本発明の複合認証システムを説明する他の動作ブロック図。
【図３】本発明の複合認証システムにおける認証サーバの構造例を説明する動作ブロック図。
【図４】本発明の複合認証システムにおける入出力用コンピュータ端末の構造例を説明する動作ブロック図。
【図５】本発明の複合認証システム及び装置を説明するシステムフローチャート図。
【図６】本発明の複合認証システムを説明するシステムフローチャート図。
【符号の説明】
【００３８】
Ｎ…ネットワーク
１…認証サーバ（認証機能を備えるデータサーバ）
２…データベース
３…入出力用コンピュータ端末
４…複合認証データ（複数種認証データ）取得手段
１１…認証重み係数割当手段
１２…認証データ照合度取得手段
１３…重み付け値算出手段
１４…総合照合度比較判定手段
４１…符号認証データ取得部                                                      ４２…指紋認証データ取得部
４３…静脈認証データ取得部
４４…顔認証データ取得部
４５…瞳認証データ取得部
【図１】
2009230653.tif 000003
【図２】
2009230653.tif 000004
【図３】
2009230653.tif 000005
【図４】
2009230653.tif 000006
【図５】
2009230653.tif 000007
【図６】
2009230653.tif 000008